(57)【要約】【課題】  高利得及び高効率な従来トリプレート型平面アンテナの特性を損なうことなく、所望の放射面内でのビーム幅設定自由度が高く、かつ、広角方向でも低サイドローブレベルを確保可能なトリプレート型平面アレーアンテナを提供する。【解決手段】  トリプレート型平面アレーアンテナは、二次元的に縦横に配列された複数の放射素子５と給電線路６を含むアンテナ回路が形成されたアンテナ回路基板３と、そのアンテナ回路基板３を両面から挟む２枚の誘電体２ａ，２ｂと、一方の誘電体２ｂに対して重ね合わせた地導体１と、他方の誘電体２ａに対して重ね合わせたスロット板４とを備えている。スロット板４には、１列に並んだ複数の放射素子５に対応したスロット開口７が１つ以上形成されている。【選択図】  図１
2005252474.tif 000002
【特許請求の範囲】
【請求項１】
二次元的に縦横に配列された複数の放射素子と給電線路を含むアンテナ回路が形成されたアンテナ回路基板と、そのアンテナ回路基板を両面から挟む２枚の誘電体と、一方の誘電体に対して重ね合わせた地導体と、他方の誘電体に対して重ね合わせたスロット板と、を備えたトリプレート型平面アレーアンテナであって、
前記スロット板は、複数のスロット開口を有し、各スロット開口は、１列に並んだ複数の放射素子に対応して形成されていることを特徴とするトリプレート型平面アレーアンテナ。
【請求項２】
前記スロット板は、前記スロット開口の長手方向に、複数のスロット開口が形成されていることを特徴とする請求項１に記載のトリプレート型平面アレーアンテナ。
【請求項３】
前記アンテナ回路基板には複数のアンテナ回路が形成されており、前記スロット板は、前記スロット開口の長手方向に、前記複数のアンテナ回路の数に対応した数のスロット開口が形成されていることを特徴とする請求項２に記載のトリプレート型平面アレーアンテナ。
【請求項４】
前記アンテナ回路基板には複数のアンテナ回路が形成されており、前記スロット板は、前記スロット開口の長手方向に、少なくとも２つのアンテナ回路に跨った少なくとも１つのスロット開口が形成されていることを特徴とする請求項１に記載のトリプレート型平面アレーアンテナ。
【請求項５】
前記複数のスロット開口の長手方向に垂直な方向における前記複数のスロット開口の各配列間隔を、利用する周波数帯域の中心周波数に対応する自由空間波長の０．８５〜０．９３倍に設定したことを特徴とする請求項１乃至請求項４のいずれか一項に記載のトリプレート型平面アレーアンテナ。
【請求項６】
前記複数のスロット開口の長手方向における前記複数の放射素子の各配列間隔を、利用する周波数帯域の中心周波数に対応する自由空間波長の０．８５〜０．９３倍に設定したことを特徴とする請求項１乃至請求項５のいずれか一項に記載のトリプレート型平面アレーアンテナ。
【発明の詳細な説明】
【技術分野】
【０００１】
本発明は、ミリ波帯の送受信に用いられるトリプレート型平面アレーアンテナに関し、特に、ビーム幅と広角サイドローブレベルを改善することができるトリプレート型平面アレーアンテナに関する。
【背景技術】
【０００２】
ミリ波帯の車載レーダや高速通信に用いられる平面アレーアンテナでは、高利得及び低サイドローブ特性が重要である。これらの用途に適用可能な高利得平面アレーアンテナであって、給電線路の損失の低減、及び線路不要放射の抑制が可能な平面アレーアンテナは既に公知となっている（例えば、特許文献１参照）。
【０００３】
以下、図１４乃至図１９に基づいて、かかる平面アレーアンテナについて概説する。  
図１４は、かかる平面アレーアンテナ、特に、トリプレート型平面アレーアンテナの概略構成を示す分解斜視図である。  
同図において、従来のトリプレート型平面アレーアンテナは、アンテナ回路基板３０を誘電体２０ａ，２０ｂを介してスロット板４０と地導体１０で上下から挟み込むように形成されている。ここで、アンテナ回路基板３０には、フィルムを基材とし、その上に銅箔を張り合わせたフレキシブル基板の不要な銅箔をエッチング除去することにより、複数の放射素子５０及びそれらを接続する給電線路６０が形成されている。また、スロット板４０は、複数の放射素子５０に対応する位置に複数のスロット７０を有している。
【０００４】
ここで、地導体１０及びスロット板４０は、どのような金属板あるいはプラスチックにメッキした板でも用いることができるが、特にアルミニウム板を用いれば、軽量で安価に製造でき好ましい。また、それらは、フィルムを基材とし、その上に銅箔を張り合わせたフレキシブル基板の不要な銅箔をエッチング除去しても構成でき、さらにガラスクロスに樹脂を含浸させた薄い樹脂板に銅箔を張り合わせた銅張り積層板でも構成することができる。
【０００５】
また、アンテナ回路基板３０は、上述のように構成できるが、ガラスクロスに樹脂を含浸させた薄い樹脂板に銅箔を張り合わせた銅張り積層板でも構成できる。また、誘電体２０ａ，２０ｂとしては、対空気比誘電率の小さい発泡体などを用いるのが好ましい。
【０００６】
図１５は、従来のトリプレート型平面アレーアンテナにおける横方向伝播成分の説明図である。図１６は、従来のトリプレート型平面アレーアンテナにおける素子配列間隔と利得及び効率との関係を示す線図である。図１７は、従来のトリプレート型平面アレーアンテナにおける素子給電電力分布を示す線図である。図１８は、従来のトリプレート型平面アレーアンテナにおける指向性を示す線図である。
【０００７】
上述のような構成の従来のトリプレート型平面アレーアンテナは、図１５に示すように、給電線路６０からパッチを励振した際に、スロット７０から外部空間へ直接放射されるエネルギー成分以外に、地導体１０とスロット板４０間を横方向で伝播する成分が発生する。かかる成分を、横方法への伝搬モード（パラレルプレートモード）による成分という。この伝播成分は、隣接するスロット７０から空間へ放射するため、スロット７０から外部空間へ直接放射されるエネルギー成分との位相関係によって、アレーアンテナ利得に影響を及ぼすことが知られている。すなわち、アレーアンテナ利得は、特殊な素子配列間隔において、図１６に示すような利得及び効率の極大点を示し、高利得及び高効率のアンテナが実現可能である。また、図１７に示すように配列された放射素子５０のそれぞれへの供給電力を所望のテーパ分布にすることで、図１８に示すように、均一に電力供給したユニフォームの場合に比べてサイドローブを低減することが可能となることはよく知られている。
【特許文献１】特開平４−８２４０５号公報
【発明の開示】
【発明が解決しようとする課題】
【０００８】
上述のように、図１４に示すトリプレート型平面アレーアンテナにおいて、配列された各放射素子５０への供給電力を所望のテーパ分布にすることで、図１８に示したように、±６０度以内の角度領域のサイドローブは低減できる。
【０００９】
しかしながら、高効率のアンテナを実現するためには配列間隔が０．９λo(λoは、自由空間波長)近傍に制約されることから、図１８に示したように、配列素子数が４素子から８素子程度のアレーでは、６０度以上の広角方向のサイドローブレベルを−２０ｄＢ程度以下にすることは困難であった。また、配列間隔が０．９λo(λoは、自由空間波長)近傍に制約されることから、例えば、配列素子数が４素子程度の場合のビーム幅は、約１５度程度に狭まり、より太いビーム幅とすることは困難であった。
【００１０】
すなわち、従来のトリプレート型平面アレーアンテナにおいて、横方向伝播成分の影響を考慮せずに配列間隔を０．９λoより狭めた場合、例えば０．７λoに狭めた場合には、スロットから直接放射された成分のみの指向性は、図１９の実線で示すように、配列間隔が０．９λoの時のビーム幅より広いビーム幅のアンテナを得ることが可能であり、かつ、素子励振分布の与え方によっては、６０度以上の広角方向のサイドローブも低減することが可能となるはずである。しかし、実際には、横方向伝播成分の影響により、配列間隔を狭めた場合、隣接スロットから放射される横方向伝播成分の位相が、当該スロットから直接放射された成分の位相と異なるため、図１９の点線で示すように、指向性の乱れを生じ、かつ、正面方向の利得も低下して、効率も低下してしまうという問題が生じた。従って、広角方向のサイドローブ低減要求やビーム幅を広くする要求が生じても、対応は困難であった。
【００１１】
以上より本発明は、高利得及び高効率な従来トリプレート型平面アレーアンテナの特性を損なうことなく、所望の放射面内でのビーム幅設定自由度が高く、かつ、広角方向でも低サイドローブレベルを確保可能なトリプレート型平面アレーアンテナを提供することを目的とする。
【課題を解決するための手段】
【００１２】
上記目的を達成するため、請求項１に記載のトリプレート型平面アレーアンテナは、二次元的に縦横に配列された複数の放射素子と給電線路を含むアンテナ回路が形成されたアンテナ回路基板と、そのアンテナ回路基板を両面から挟む２枚の誘電体と、一方の誘電体に対して重ね合わせた地導体と、他方の誘電体に対して重ね合わせたスロット板と、を備えたトリプレート型平面アレーアンテナであって、前記スロット板は、複数のスロット開口を有し、各スロット開口は、１列に並んだ複数の放射素子に対応して形成されていることを要旨とする。
【００１３】
請求項２に記載のトリプレート型平面アレーアンテナは、請求項１に記載のトリプレート型平面アレーアンテナにおいて、前記スロット板は、前記スロット開口の長手方向に、複数のスロット開口が形成されていることを要旨とする。
【００１４】
請求項３に記載のトリプレート型平面アレーアンテナは、請求項２に記載のトリプレート型平面アレーアンテナにおいて、前記アンテナ回路基板には複数のアンテナ回路が形成されており、前記スロット板は、前記スロット開口の長手方向に、前記複数のアンテナ回路の数に対応した数のスロット開口が形成されていることを要旨とする。
【００１５】
請求項４に記載のトリプレート型平面アレーアンテナは、請求項１に記載のトリプレート型平面アレーアンテナにおいて、前記アンテナ回路基板には複数のアンテナ回路が形成されており、前記スロット板は、前記スロット開口の長手方向に、少なくとも２つのアンテナ回路に跨った少なくとも１つのスロット開口が形成されていることを要旨とする。
【００１６】
請求項５に記載のトリプレート型平面アレーアンテナは、請求項１乃至請求項４のいずれか一項に記載のトリプレート型平面アレーアンテナにおいて、前記複数のスロット開口の長手方向に垂直な方向における前記複数のスロット開口の各配列間隔を、利用する周波数帯域の中心周波数に対応する自由空間波長の０．８５〜０．９３倍に設定したことを要旨とする。
【００１７】
請求項６に記載のトリプレート型平面アレーアンテナは、請求項１乃至請求項５のいずれか一項に記載のトリプレート型平面アレーアンテナにおいて、前記複数のスロット開口の長手方向における前記複数の放射素子の各配列間隔を、利用する周波数帯域の中心周波数に対応する自由空間波長の０．８５〜０．９３倍に設定したことを要旨とする。
【発明の効果】
【００１８】
請求項１乃至請求項６に記載の発明によれば、高利得及び高効率な従来トリプレート型平面アンテナの特性を損なうことなく、所望の放射面内でのビーム幅設定自由度が高く、かつ、広角方向でも低サイドローブレベルを確保可能なトリプレート型平面アレーアンテナを実現できる。
【発明を実施するための最良の形態】
【００１９】
以下、図面に基づいて、本発明におけるトリプレート型平面アレーアンテナの実施の形態を詳細に説明する。
【００２０】
図１は、本発明におけるトリプレート型平面アレーアンテナの実施の形態を説明するための図であり、（ａ）はその概略構成を示す分解斜視図であり、（ｂ）はそれを上方から見た図である。
【００２１】
図１（ａ）に示した本発明のトリプレート型平面アレーアンテナの構成は、基本的には、従来と同様である。すなわち、本発明の一実施形態のトリプレート型平面アレーアンテナは、アンテナ回路基板３を誘電体２ａ，２ｂを介してスロット板４と地導体１で上下から挟み込むように形成されている。ここで、アンテナ回路基板３には、フィルムを基材とし、その上に銅箔を張り合わせたフレキシブル基板の不要な銅箔をエッチング除去することにより、複数の放射素子５及びそれらを接続する給電線路６が形成されている。
【００２２】
従来と異なるのは、図１（ａ），（ｂ）に示すように、スロット板４には、１列に並んだ複数の放射素子５に対応した一矩形状を有するスロット開口７が形成されていることである。
【００２３】
図１に示した１つのスロット開口７を基本構成として、本発明のトリプレート型平面アレーアンテナの現実的な構成としては、典型的には以下の実施形態が考えられる。
【００２４】
＜第１実施形態＞
図２は、本発明のトリプレート型平面アレーアンテナの第１実施形態の構成を説明するための図である。以下、説明の便宜上、スロット開口７の長手方向を水平方向と称し、それに垂直な方向を垂直方向と称する。
【００２５】
この第１実施形態においては、放射素子５がアンテナ回路基板３上において典型的に二次元的（垂直ｎ×水平ｍ）に配列されて、１つのアレーアンテナが構成されている場合において、図２に示すように、水平方向の全ｍ個の放射素子５に１つのスロット開口７を対応させ、そのようなスロット開口７が垂直方向にｎ個並列して形成されている。
【００２６】
この場合、複数のスロット開口７の各配列（中心）間隔Ｄ１、すなわち垂直方向の配列間隔Ｄ１を、利用する周波数帯域の中心周波数に対する自由空間波長λoの０．８５〜０．９３倍にするのが好適である。また、複数の放射素子５の水平方向の配列間隔Ｄ２も、利用する周波数帯域の中心周波数に対する自由空間波長λoの０．８５〜０．９３倍にするのが好適である。
【００２７】
ここで、以下のような具体的な条件において実験を試みた。  
すなわち、地導体１として厚さ１ｍｍのアルミニウム板を用い、誘電体２ａ，２ｂとして比誘電率が略１で厚みが0.3ｍｍの発泡ポリエチレンを用いた。また、アンテナ回路基板３として厚さ２５μｍのポリイミドフィルムに厚さ１８μｍの銅箔をはり合わせたフィルム基板を用い、エッチングにより不要な銅箔を除去して放射素子５及び給電線路６を形成した。また、スロット板４として厚さ１ｍｍのアルミニウム板にプレス工法による打ち抜きでスロット開口７を形成したものを用いた。
【００２８】
また、アンテナ回路基板３に、一辺の長さが利用周波数７６．５ＧＨｚに対応する自由空間波長λoの略０．４倍となる正方形の放射素子５を形成した。更に、スロット板４に、短辺が自由空間波長λoの略０．５５倍となる長方形のスロット開口７を形成した。
【００２９】
以上の構成において、更に、垂直方向の各スロット開口７の配列間隔を、自由空間波長λoの約０．９倍とした。また、複数の放射素子５の水平方向の配列間隔を、自由空間波長λoの約０．９倍で配置した。これらの間隔で、放射素子５を、水平方向に２４素子、垂直方向に１６素子並べて、全３８４素子とした。すなわち、表現を変えれば、この場合、１つのスロット開口７に２４個の放射素子５が対応しており、１６個のスロット開口７が設けられていることになる。
【００３０】
以上の条件で、図５乃至図７に示すような実験データを得ることができた。  
図５は、上述の具体的構成の有するトリプレート型平面アレーアンテナの３８４個の各放射素子の利得を示す図である。図６は、上述の具体的構成の有するトリプレート型平面アレーアンテナの水平方向の２４個の放射素子が占める面（水平面）の指向性（サイドローブレベル）を示す図である。図７は、上述の具体的構成の有するトリプレート型平面アレーアンテナの垂直方向の１６個の放射素子が占める面（垂直面）の指向性（サイドローブレベル）を示す図である。
【００３１】
図５に示すように、各放射素子の利得は３０．５ｄＢｉ以上あり、また、図６及び図７に示すように、水平方向及び垂直方向の指向性（サイドローブレベル）も安定したものが得られた。
【００３２】
＜第２実施形態＞
図３は、本発明のトリプレート型平面アレーアンテナの第２実施形態の構成を説明するための図である。  
この第２実施形態においては、アンテナ回路基板３に、第１実施形態のアレーアンテナを複数設けた構成としている。従って、第１実施形態とは異なり、アンテナ回路基板３の水平方向に複数のスロット開口７が設けられることとなる。
【００３３】
第２実施形態の場合も、第１実施形態と同様、複数のスロット開口７の各配列（中心）間隔Ｄ１、すなわち垂直方向の配列間隔Ｄ１を、利用する周波数帯域の中心周波数に対する自由空間波長λoの０．８５〜０．９３倍にするのが好適である。また、第１実施形態と同様、複数の放射素子５の水平方向の配列間隔Ｄ２を、利用する周波数帯域の中心周波数に対する自由空間波長λoの０．８５〜０．９３倍にするのが好適である。
【００３４】
ここで、以下のような具体的な条件において実験を試みた。  
すなわち、水平方向に３つのアレーアンテナを並べて構成した。言い換えれば、水平方向には３つのスロット開口７を設けた。また、垂直方向には１６個のスロット開口７を設けた。１つのスロット開口７には２つの放射素子５を対応させた。つまり、１つのアレーアンテナの放射素子５の数は、２×１６の３２個であり、よって平面全体としては、放射素子５の数は３２×３で、９６個となる。それ以外は第１実施形態における実験例と同じ条件である。
【００３５】
以上の条件で、図８乃至図１０に示すような実験データを得ることができた。  
図８は、上述の具体的構成の有するトリプレート型平面アレーアンテナの３２個の各放射素子の利得を示す図である。図９は、上述の具体的構成の有するトリプレート型平面アレーアンテナの水平方向の２個の放射素子が占める面（水平面）の指向性（サイドローブレベル）を示す図である。図１０は、上述の具体的構成の有するトリプレート型平面アレーアンテナの垂直方向の１６個の放射素子が占める面（垂直面）の指向性（サイドローブレベル）を示す図である。
【００３６】
図８に示すように、各放射素子の利得は１８ｄＢｉ以上あり、また、図９及び図１０に示すように、水平方向及び垂直方向の指向性（サイドローブレベル）も安定したものが得られた。
【００３７】
＜第３実施形態＞
図４は、本発明のトリプレート型平面アレーアンテナの第３実施形態の構成を説明するための図である。  
この第３実施形態においては、水平方向の複数のアレーアンテナのうちの任意の隣り合うアレーアンテナに対して、水平方向のスロット開口７を共通させた。言い換えれば、スロット開口７は、複数のアレーアンテナに跨っている。例えば、１つのアレーアンテナの水平方向の放射素子５の数を２とし、スロット開口７が２つのアレーアンテナに跨っているとすると、そのスロット開口７は水平方向の４つの放射素子５に対応していることになる。
【００３８】
尚、第３実施形態の場合も、第２実施形態と同様、垂直方向の複数のスロット開口７の各配列（中心）間隔Ｄ１、すなわち配列間隔Ｄ１を、利用する周波数帯域の中心周波数に対する自由空間波長λoの０．８５〜０．９３倍にするのが好適である。また、第２実施形態と同様、複数の放射素子５の水平方向の配列間隔Ｄ２を、利用する周波数帯域の中心周波数に対する自由空間波長λoの０．８５〜０．９３倍にするのが好適である。
【００３９】
ここで、以下のような具体的な条件において実験を試みた。  
すなわち、第２実施形態と同様に、水平方向に３つのアレーアンテナを並べて構成した。しかしながら、第２実施形態と異なるのは、１つのアレーアンテナに対して、水平方向に１つのスロット開口７を対応させるのではなく、左の２つのアレーアンテナに跨るようにスロット開口７を設けた。従って、言い換えれば、水平方向には、長手方向の長さの異なる２つのスロット開口７を設けたことになる。すなわち、長いスロット開口７には４つの放射素子５が対応しており、短いスロット開口７には２つの放射素子５が対応している。垂直方向に１６個のスロット開口７を設けたのは、第２実施形態と同様である。１つのアレーアンテナの放射素子５の数が３２個であり、全体の放射素子５の数が９６個であるのも第２実施形態と同様である。
【００４０】
以上の条件で、図１１乃至図１３に示すような実験データを得ることができた。  
図１１は、上述の具体的構成の有するトリプレート型平面アレーアンテナの３２個の各放射素子の利得を示す図である。図１２は、上述の具体的構成の有するトリプレート型平面アレーアンテナの水平方向の２個の放射素子が占める面（水平面）の指向性（サイドローブレベル）を示す図である。図１３は、上述の具体的構成の有するトリプレート型平面アレーアンテナの垂直方向の１６個の放射素子が占める面（垂直面）の指向性（サイドローブレベル）を示す図である。
【００４１】
図１１に示すように、第２実施形態における実験例の結果と殆ど変わらず各放射素子の利得は１８ｄＢｉ以上あり、また、図１２及び図１３に示すように、水平方向及び垂直方向の指向性（サイドローブレベル）も安定したものが得られた。
【００４２】
尚、上述した第３実施形態においては、複数のアレーアンテナに渡ってスロット開口７を設けるようにしたが、１つのアレーアンテナにおいて、水平方向に複数にスロット開口７を設けるようにしてもよい。言い換えれば、１つのアレーアンテナにおける水平方向の複数の放射素子５を幾つかのグループに分割して各グループにスロット開口７を対応させる構成でもよい。
【００４３】
これを第３実施形態と併せて一般的に言えば、アレーアンテナの数に拘わらず、アンテナ回路基板３の水平方向に任意の数のスロット開口７を設けることができる、ということである。
【００４４】
また、尚、放射素子５とスロット７の基本形状は菱形として説明したが、正方形又は円形であっても構わない。
【図面の簡単な説明】
【００４５】
【図１】本発明におけるトリプレート型平面アレーアンテナの実施の形態を説明するための図であり、（ａ）はその概略構成を示す分解斜視図であり、（ｂ）はそれを上方から見た図である。
【図２】本発明のトリプレート型平面アレーアンテナの第１実施形態における複数の放射素子と複数のスロット開口の関係を示す構成図である。
【図３】本発明のトリプレート型平面アレーアンテナの第２実施形態における複数の放射素子と複数のスロット開口の関係を示す構成図である。
【図４】本発明のトリプレート型平面アレーアンテナの第３実施形態における複数の放射素子と複数のスロット開口の関係を示す構成図である。
【図５】第１実施形態におけるトリプレート型平面アレーアンテナの３８４個の各放射素子の利得を示す図である。
【図６】第１実施形態におけるトリプレート型平面アレーアンテナの水平方向の２４個の放射素子が占める面（水平面）の指向性（サイドローブレベル）を示す図である。
【図７】第１実施形態におけるトリプレート型平面アレーアンテナの垂直方向の１６個の放射素子が占める面（垂直面）の指向性（サイドローブレベル）を示す図である。
【図８】第２実施形態におけるトリプレート型平面アレーアンテナの３２個の各放射素子の利得を示す図である。
【図９】第２実施形態におけるトリプレート型平面アレーアンテナの水平方向の２個の放射素子が占める面（水平面）の指向性（サイドローブレベル）を示す図である。
【図１０】第２実施形態におけるトリプレート型平面アレーアンテナの垂直方向の１６個の放射素子が占める面（垂直面）の指向性（サイドローブレベル）を示す図である。
【図１１】第３実施形態におけるトリプレート型平面アレーアンテナの３２個の各放射素子の利得を示す図である。
【図１２】第３実施形態におけるトリプレート型平面アレーアンテナの水平方向の２個の放射素子が占める面（水平面）の指向性（サイドローブレベル）を示す図である。
【図１３】第３実施形態におけるトリプレート型平面アレーアンテナの垂直方向の１６個の放射素子が占める面（垂直面）の指向性（サイドローブレベル）を示す図である。
【図１４】従来のトリプレート型平面アレーアンテナの概略構成を示す分解斜視図である。
【図１５】従来のトリプレート型平面アレーアンテナにおける横方向伝播成分の説明図である。
【図１６】従来のトリプレート型平面アレーアンテナにおける素子配列間隔と利得及び効率との関係を示す線図である。
【図１７】従来のトリプレート型平面アレーアンテナにおける素子給電電力分布を示す線図である。
【図１８】従来のトリプレート型平面アレーアンテナにおける指向性を示す線図である。
【図１９】従来のトリプレート型平面アレーアンテナにおける指向性の影響を説明するための線図である。
【符号の説明】
【００４６】
１，１０  地導体
２ａ，２ｂ，２０ａ，２０ｂ  誘電体
３，３０  アンテナ回路基板
４，４０  スロット板
５，５０  放射素子
６，６０  給電線路
７  スロット開口
７０  スロット
【図１】
2005252474.tif 000003
【図２】
2005252474.tif 000004
【図３】
2005252474.tif 000005
【図４】
2005252474.tif 000006
【図５】
2005252474.tif 000007
【図６】
2005252474.tif 000008
【図７】
2005252474.tif 000009
【図８】
2005252474.tif 000010
【図９】
2005252474.tif 000011
【図１０】
2005252474.tif 000012
【図１１】
2005252474.tif 000013
【図１２】
2005252474.tif 000014
【図１３】
2005252474.tif 000015
【図１４】
2005252474.tif 000016
【図１５】
2005252474.tif 000017
【図１６】
2005252474.tif 000018
【図１７】
2005252474.tif 000019
【図１８】
2005252474.tif 000020
【図１９】
2005252474.tif 000021
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
二次元的に縦横に配列された複数の放射素子と給電線路を含むアンテナ回路が形成されたアンテナ回路基板と、そのアンテナ回路基板を両面から挟む２枚の誘電体と、一方の誘電体に対して重ね合わせた地導体と、他方の誘電体に対して重ね合わせたスロット板と、を備えたトリプレート型平面アレーアンテナであって、
前記スロット板は、複数のスロット開口を有し、各スロット開口は、１列に並んだ複数の放射素子に対応して形成されており、
前記複数のスロット開口の長手方向に垂直な方向における前記複数のスロット開口の各配列間隔を、利用する周波数帯域の中心周波数に対応する自由空間波長の０．８５〜０．９３倍に設定したことを特徴とするトリプレート型平面アレーアンテナ。
【請求項２】
前記スロット板は、前記スロット開口の長手方向に、複数のスロット開口が形成されていることを特徴とする請求項１に記載のトリプレート型平面アレーアンテナ。
【請求項３】
前記アンテナ回路基板には複数のアンテナ回路が形成されており、前記スロット板は、前記スロット開口の長手方向に、前記複数のアンテナ回路の数に対応した数のスロット開口が形成されていることを特徴とする請求項２に記載のトリプレート型平面アレーアンテナ。
【請求項４】
前記アンテナ回路基板には複数のアンテナ回路が形成されており、前記スロット板は、前記スロット開口の長手方向に、少なくとも２つのアンテナ回路に跨った少なくとも１つのスロット開口が形成されていることを特徴とする請求項１に記載のトリプレート型平面アレーアンテナ。
【請求項５】
前記複数のスロット開口の長手方向における前記複数の放射素子の各配列間隔を、利用する周波数帯域の中心周波数に対応する自由空間波長の０．８５〜０．９３倍に設定したことを特徴とする請求項１乃至請求項４のいずれか一項に記載のトリプレート型平面アレーアンテナ。
【手続補正２】
【補正対象書類名】明細書
【補正対象項目名】００１２
【補正方法】変更
【補正の内容】
【００１２】
上記目的を達成するため、請求項１に記載のトリプレート型平面アレーアンテナは、二次元的に縦横に配列された複数の放射素子と給電線路を含むアンテナ回路が形成されたアンテナ回路基板と、そのアンテナ回路基板を両面から挟む２枚の誘電体と、一方の誘電体に対して重ね合わせた地導体と、他方の誘電体に対して重ね合わせたスロット板と、を備えたトリプレート型平面アレーアンテナであって、前記スロット板は、複数のスロット開口を有し、各スロット開口は、１列に並んだ複数の放射素子に対応して形成されており、前記複数のスロット開口の長手方向に垂直な方向における前記複数のスロット開口の各配列間隔を、利用する周波数帯域の中心周波数に対応する自由空間波長の０．８５〜０．９３倍に設定したことを要旨とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
請求項５に記載のトリプレート型平面アレーアンテナは、請求項１乃至請求項４のいずれか一項に記載のトリプレート型平面アレーアンテナにおいて、前記複数のスロット開口の長手方向における前記複数の放射素子の各配列間隔を、利用する周波数帯域の中心周波数に対応する自由空間波長の０．８５〜０．９３倍に設定したことを要旨とする。
【手続補正５】
【補正対象書類名】明細書
【補正対象項目名】００１８
【補正方法】変更
【補正の内容】
【００１８】
請求項１乃至請求項５に記載の発明によれば、高利得及び高効率な従来トリプレート型平面アンテナの特性を損なうことなく、所望の放射面内でのビーム幅設定自由度が高く、かつ、広角方向でも低サイドローブレベルを確保可能なトリプレート型平面アレーアンテナを実現できる。